(57)【要約】【課題】原稿の黒色画像部が光線を吸収して生じた熱により原稿画像に倣って感熱樹脂フィルムを穿孔する孔版の感熱製版方式を、光源として太陽を利用し、必要な量の光線をできるだけ短時間に均一に照射し、発生した熱が感熱樹脂フィルムに的確に伝わるよう光線照射時に原稿と感熱樹脂フィルムとが強く押し合わされる装置として提供する。【解決手段】感熱孔版原版と原稿とをガラス板とクッション板の間に押圧したものをガラス板の側から太陽に直面させる方位と迎角に設定する手段と、焦点領域が感熱孔版原版の印刷領域を縦横に走査する可動の集光レンズと、集光レンズを縦横に移動させる手段とを有する。【選択図】図３
2015136816.tif 000002
【特許請求の範囲】
【請求項１】
感熱孔版原版と原稿とをガラス板とクッション板の間に押圧し且つ該感熱孔版原版と原稿とを前記ガラス板の側から太陽に直面させる方位と迎角に設定する手段を備えた感熱孔版原版担持装置と、集光レンズをその焦点領域が前記感熱孔版原版上にあって該感熱孔版原版の印刷領域を縦横に走査するよう前記感熱孔版原版担持装置上に縦横に可動に担持する集光装置と、前記集光レンズの焦点領域が前記感熱孔版原版の印刷領域を縦横に走査するよう前記集光装置を駆動する集光装置駆動装置とを有していることを特徴とする太陽光式感熱孔版印刷装置。
【請求項２】
前記感熱孔版原版担持装置は、前記感熱孔版原版と原稿とを前記ガラス板と前記クッション板の間に押圧した状態を保持する重合組立体と、前記重合組立体をその周縁部にて着脱自在に担持する枠体と、前記枠体をその一端部にて枢動手段により枢支する台板と、前記台板に対する前記枠体の枢動の傾斜角を調整可能に設定する角度調整手段とを備えていることを特徴とする請求項１に記載の太陽光式感熱孔版印刷装置。
【請求項３】
前記重合組立体が前記感熱孔版原版と原稿と前記ガラス板と前記クッション板とに分解されたときには、前記ガラス板とインクを施された前記感熱孔版原版とが重ね合わされてそれらの周縁部にて前記枠体に着脱自在に取り付けられ、前記クッション板が前記台板上に設置され、前記ガラス板と前記感熱孔版原版の重合体を取り付けられた前記枠体を前記台板に対し前記枢支手段により枢動させて、前記クッション板上に載置された用紙に前記感熱孔版原版により印刷を施すことができるようになっていることを特徴とする請求項２に記載の太陽光式感熱孔版印刷装置。
【請求項４】
前記感熱孔版原版と原稿とを前記ガラス板と前記クッション板の間に押圧した状態を保持する前記重合組立体をその周縁部にて前記枠体に着脱自在に取り付ける手段は、前記ガラス板と前記感熱孔版原版の重合体を前記枠体に着脱自在に取り付ける手段を兼ねていることを特徴とする請求項３に記載の太陽光式感熱孔版印刷装置。
【請求項５】
前記集光装置は、前記枠体上に該枠体に対し縦方向に移動可能に装着された縦移動台と、該縦移動台上に該縦移動台に対し横方向に移動可能に装着された横移動台とを備え、前記縦移動台が前記枠体に対し１ピッチ移動することと前記横移動台が前記縦移動台に対しその両端間に一方より他方まで片道移動することの繰り返しにより前記集光レンズを前記枠体に対し縦横にジグザグ移動させるようになっていることを特徴とする請求項２〜４のいずれかに記載の太陽光式感熱孔版印刷装置。
【請求項６】
前記横移動台が前記縦移動台の両端間に一方より他方まで片道移動する度に前記縦移動台を前記枠体に対し１ピッチ移動させる作動は、前記集光装置駆動装置が正逆回転切換可能な横移動台駆動用電動機と縦移動台駆動用電動機とを備え、前記横移動台駆動用電動機に正転駆動用電流が供給されるとき、同時に前記縦移動台駆動用電動機に正転駆動用電流が供給されるがそれは前記枠体に対する前記縦移動台の移動経路に沿って前記ピッチの間隔にて点在する第一のスライド接点を経て前記縦移動台が前記枠体に対し前記１ピッチ移動する間だけ行われ、また前記横移動台駆動用電動機に逆転駆動用電流が供給されるとき、同時に前記縦移動台駆動用電動機に正転駆動用電流が供給されるがそれは前記枠体に対する前記縦移動台の移動経路に沿って前記ピッチの間隔にて点在する第二のスライド接点を経て前記縦移動台が前記枠体に対し前記１ピッチ移動する間だけ行われることにより行われるようになっていることを特徴とする請求項５に記載の太陽光式感熱孔版印刷装置。
【請求項７】
前記集光装置は、それが前記集光装置駆動装置により前記感熱孔版原版担持装置に対し移動されていないときには前記集光レンズの光通路を遮るシャッタを備えていることを特徴とする請求項１〜６のいずれかに記載の太陽光式感熱孔版印刷装置。
【請求項８】
前記集光レンズの光通路の開口面積を減縮することにより前記焦点領域に於ける光の強度を低減する手段と前記集光装置駆動装置による前記集光装置の駆動速度を下げることにより前記感熱孔版原版の露光時間を増大させる手段の少なくとも一方を備えていることを特徴とする請求項１〜７のいずれかに記載の太陽光式感熱孔版印刷装置。
【発明の詳細な説明】
【技術分野】
【０００１】
本発明は、感熱孔版の穿孔に太陽光を利用する感熱孔版印刷装置に係る。尚、感熱孔版印刷という概念には、感熱孔版を熱により穿孔すること、および熱により穿孔された感熱孔版にインクを施して印刷を行うことが含まれると思われるが、本発明は、感熱孔版を熱により穿孔する装置を提供することを主たる目的とし、更に、同装置の要部を共用して穿孔された感熱孔版にインクを施して印刷を行う装置を提供することを従たる目的とするものである。
【背景技術】
【０００２】
年賀ハガキ等に印刷を施す感熱孔版印刷装置として、実用新案登録第１５５５０９３号として登録され、「プリントゴッコ」なる商品名にて広く販売された装置が知られている。この感熱孔版印刷装置は、厚紙よりなる長方形輪郭の縁枠の下面に長方形の多孔紙と樹脂フィルムとを貼り合わせた感熱孔版原紙をその周縁部にて貼り付け、縁枠の上面に長方形の透明フィルムをその一辺にて貼り付けた感熱孔版原版を用いるものであり、まず製版に当たっては、台板とその一端に枢着されてガラス窓を備える枢動腕とを有する製版／印刷装置の枢動腕のガラス窓部に感熱孔版原版を取り付け、台板上に設置されたクッション板上に原稿を載置し、枢動腕を枢動させてそのガラス窓部に取り付けられた感熱孔版原版を台板上のクッション板上に載置された原稿の上に重ね置き、更に枢動腕の自由端を手にて押し下げることによりガラス窓のガラス板にて感熱孔版原版を原稿に対し強く押し付け、原稿に樹脂フィルムが圧着された状態でガラス板を通して上からフラッシュランプの閃光を浴びせ、原稿の黒色画像部がフラッシュランプの閃光を吸収して生じた熱により樹脂フィルムを局部的に溶融させて感熱孔版原紙に原稿画像に倣った孔を開け、次いで、印刷に当たっては、かくして穿孔製版された樹脂フィルムと透明フィルムの間に固練りのインクを施し、これを枢動腕のガラス窓部の下に取り付け、枢動腕を枢動させることによりクッション板上に置かれたハガキ等に押し当て、印刷を行うものである。
【０００３】
上記の如く原稿画像に感熱孔版原紙を押し当てて光線を照射し、原稿の黒色画像部が光を吸収して生じた熱により感熱孔版原紙を穿孔する感熱孔版原紙の穿孔法は、
（１）原稿画像が炭素粒子等の光吸収性物質を含むインクにて表されたいわゆる黒色画像であれば、コンピュータによる画像の電子処理を経ることなく、原稿画像を孔版の穿孔分布として直接機械的に写し取ることができ、切り抜き画像を指先にて機械的に組み合わせて原稿画像としたり、切り抜き画像に手書きで文字や画像を加えて原稿画像とすることができる。
（２）樹脂フィルムに原稿画像に倣った孔が開けられたとき、原稿は孔部にて溶融した樹脂により樹脂フィルムに付着した状態に保持され、樹脂フィルムの下に原稿画像の下敷きが固定された状態となり、原稿画像は樹脂フィルムを通して明瞭に透けて見えるので、穿孔後の樹脂フィルムより原稿を剥ぎ取る前に樹脂フィルムにインクを施せば、インクを施すべき穿孔部が原稿画像により明確に認識でき、穿孔画像に対する着色を好みに応じて的確に行うことが容易にできる。
（３）穿孔後の樹脂フィルムより原稿を剥がすとき、感熱孔版原紙の穿孔により孔の周りに生じた樹脂の溶融滓が原稿に溶着した状態で原稿と共に除去されるので、穿孔滓が残留しない鮮明な穿孔が得られる。
という優れた特徴を備えている。
【０００４】
感熱孔版原紙はコンピュータ上に作成された電子画像に基づいて針状サーマルヘッドをコンピュータ制御することによっても穿孔できるが、その場合、穿孔された感熱孔版原紙にインクを施すに当たって、感熱孔版原紙上では穿孔箇所が見分け難く、穿孔画像に対応して適切にインクを施すことが困難であるという問題があり、また感熱孔版原紙の穿孔により孔の周りに生じた樹脂の溶融滓が孔の周りに残留して孔の鮮明度が損なわれたり、それが針状サーマルヘッドに付着して針状サーマルヘッドの正常な作動が損なわれる虞れがあるという問題があるので、原稿画像に感熱孔版原紙を押し当てて光線を照射し、原稿の黒色画像部が光を吸収して生じた熱により感熱孔版原紙を穿孔する感熱孔版原紙の穿孔法には、捨て難い特異な魅力がある。
【０００５】
ところで、かかる感熱穿孔メカニズムに於いては、原稿の黒色画像部に感熱樹脂フィルムの穿孔に必要な量の熱を発生させる光線をできるだけ短時間に付与することが重要である。さもないと、原稿の黒色画像部にて発生した熱は原稿の紙面を伝わって拡散するので、穿孔に要する光線照射の時間が長引くほど穿孔画像にはぼけが生じる。この点に於いて、上記の実用新案登録による感熱孔版印刷装置に於いて光源としてフラッシュランプが使用されていることは、格別の効果を発揮しており、フラッシュランプに代えて白熱電球や赤外線ランプ等を光源として使用しても原稿画像に鮮明に倣った穿孔は得られない。しかし、フラッシュランプの使用には、需要者に特別仕様のフラッシュランプを的確に供給できる商業システムが必要であり、また使用後のフラッシュランプは不燃ごみとなり、環境保全の点で問題を生ずる。
【０００６】
上記の如く原稿画像に感熱孔版原紙を押し当てて光線を照射し、原稿の黒色画像部が光線を吸収して生じた熱により感熱孔版原紙を穿孔する感熱孔版の製版の光源として太陽を利用することが、下記の特許文献に於いて提案されている。
【先行技術文献】
【特許文献】
【０００７】
【特許文献１】特開２００５-８８２３７
【発明の概要】
【発明が解決しようとする課題】
【０００８】
上記の通り、原稿に感熱樹脂フィルムを押し当て、感熱樹脂フィルムを通して光線を照射し、原稿の黒色画像部が光線を吸収して生じた熱により原稿画像に倣って感熱樹脂フィルムを穿孔する孔版の感熱製版方式には、コンピュータを必要とせず、切抜き画像を指先にて機械的に組み合わせ或いはこれに手書きで文字や画像を加えて原稿画像を制作することができ、穿孔済み孔版へのインクの的確な施しが容易であり、穿孔滓を伴わない鮮明な孔が得られるという特異な利点があるが、この感熱製版方式によって原稿画像に鮮明に倣った孔版を得るには、
（Ａ）原稿の黒色画像部の光吸収により感熱樹脂フィルムの溶融穿孔に必要な熱量を発生する光量の光線ができるだけ短時間に、且つ当然のことながら均一に、照射されること、
（Ｂ）原稿の黒色画像部に生じた熱が感熱樹脂フィルムに的確に伝わるよう、光線の照射時に原稿と感熱樹脂フィルムとが強く押し合わされていること
が重要である。特に原稿として切り抜き画像を組み合わせる場合であって、隣り合う切り抜き紙片どうしの間に重なり部が生ずるような場合には、原稿の表面には凹凸が生じるので、原稿と感熱樹脂フィルムの押し合せは、弾力性に富んだクッション板を介して強い圧縮力で行われる必要がある。
【０００９】
本発明は、原稿の黒色画像部が光線を吸収して生じた熱により原稿画像に倣って感熱樹脂フィルムを穿孔する孔版の感熱製版方式を、光源として太陽を利用し、上記（Ａ）、（Ｂ）の条件を満たして実施する装置として提供することを主たる課題としている。更に本発明は、そのような感熱孔版穿孔装置を、穿孔された孔版により印刷を行う手段としても使用できる形態に於いて提供することを従たる課題としている。
【課題を解決するための手段】
【００１０】
上記の課題を解決すべく、本発明は、感熱孔版原版と原稿とをガラス板とクッション板の間に押圧し且つ該感熱孔版原版と原稿とを前記ガラス板の側から太陽に直面させる方位と迎角に設定する手段を備えた感熱孔版原版担持装置と、集光レンズをその焦点領域が前記感熱孔版原版上にあって該感熱孔版原版の印刷領域を縦横に走査するよう前記感熱孔版原版担持装置上に縦横に可動に担持する集光装置と、前記集光レンズの焦点領域が前記感熱孔版原版の印刷領域を縦横に走査するよう前記集光装置を駆動する集光装置駆動装置とを有していることを特徴とする太陽光式感熱孔版印刷装置を提案するものである。
【００１１】
前記感熱孔版原版担持装置は、前記感熱孔版原版と原稿とを前記ガラス板と前記クッション板の間に押圧した状態を保持する重合組立体と、前記重合組立体をその周縁部にて着脱自在に担持する枠体と、前記枠体をその一端部にて枢動手段により枢支する台板と、前記台板に対する前記枠体の枢動の傾斜角を調整可能に設定する角度調整手段とを備えていてよい。
【００１２】
前記重合組立体が前記感熱孔版原版と原稿と前記ガラス板と前記クッション板とに分解されたときには、前記ガラス板とインクを施された前記感熱孔版原版とが重ね合わされてそれらの周縁部にて前記枠体に着脱自在に取り付けられ、前記クッション板が前記台板上に設置され、前記ガラス板と前記感熱孔版原版の重合体を取り付けられた前記枠体を前記台板に対し前記枢支手段により枢動させて、前記クッション板上に載置された用紙に前記感熱孔版原版により印刷を施すことができるようになっていてよい。
【００１３】
前記感熱孔版原版と原稿とを前記ガラス板と前記クッション板の間に押圧した状態を保持する前記重合組立体をその周縁部にて前記枠体に着脱自在に取り付ける手段は、前記ガラス板と前記感熱孔版原版の重合体を前記枠体に着脱自在に取り付ける手段を兼ねていてよい。
【００１４】
前記集光装置は、前記枠体上に該枠体に対し縦方向に移動可能に装着された縦移動台と、該縦移動台上に該縦移動台に対し横方向に移動可能に装着された横移動台とを備え、前記縦移動台が前記枠体に対し１ピッチ移動することと前記横移動台が前記縦移動台に対しその両端間に一方より他方まで片道移動することの繰り返しにより前記集光レンズを前記枠体に対し縦横にジグザグ移動させるようになっていてよい。
【００１５】
前記横移動台が前記縦移動台の両端間に一方より他方まで片道移動する度に前記縦移動台を前記枠体に対し１ピッチ移動させる作動は、前記集光装置駆動装置が正逆回転切換可能な横移動台駆動用電動機と縦移動台駆動用電動機とを備え、前記横移動台駆動用電動機に正転駆動用電流が供給されるとき、同時に前記縦移動台駆動用電動機に正転駆動用電流が供給されるがそれは前記枠体に対する前記縦移動台の移動経路に沿って前記ピッチの間隔にて点在する第一のスライド接点を経て前記縦移動台が前記枠体に対し前記１ピッチ移動する間だけ行われ、また前記横移動台駆動用電動機に逆転駆動用電流が供給されるとき、同時に前記縦移動台駆動用電動機に正転駆動用電流が供給されるがそれは前記枠体に対する前記縦移動台の移動経路に沿って前記ピッチの間隔にて点在する第二のスライド接点を経て前記縦移動台が前記枠体に対し前記１ピッチ移動する間だけ行われることにより行われるようになっていてよい。
【００１６】
前記集光装置は、それが前記集光装置駆動装置により前記感熱孔版原版担持装置に対し移動されていないときには前記集光レンズの光通路を遮るシャッタを備えていてよい。
【００１７】
上記の如き太陽光式感熱孔版印刷装置は、前記集光レンズの光通路の開口面積を減縮することにより前記焦点領域に於ける光の強度を低減する手段と前記集光装置駆動装置による前記集光装置の駆動速度を下げることにより前記感熱孔版原版の露光時間を増大させる手段の少なくとも一方を備えていてよい。
【発明の効果】
【００１８】
太陽の位置は、それを視る地点の経度、緯度およびそれを視る季節、時刻に応じて変化し、例えば東経１３９度４４分、北緯３５度３９分の地点では、図１のマップに示すように変化する。従って、感熱孔版印刷装置を使用する地点の経度および緯度に応じて図１に示す如きマップを用意しておき、使用時の季節と時刻に応じて、図２に示す如く、磁針Ｍと水準器Ｌ1，Ｌ2を参照しつつ南北方位Ｎに対する平面Ｓの偏倚角αと、水平面Ｈに対する平面Ｓの傾斜角βとを適宜に調節することにより、平面Ｓを太陽光線に対し垂直に向け、平面Ｓに対し平行に隔置されたフレネルレンズの如き集光レンズＦによりその焦点領域Ｔに強力な太陽光線を照射することができ、またそのような状態を平面Ｓに対し平行に移動させることにより平面Ｓの任意の領域に対し強力な太陽光線を短時間だけ均一に照射することができる。尚、因みに、東京駅と大阪駅に於ける東経値の差異は、１３９度４６分対１３５度３０分（即ちその差は４度１６分）であり、北緯値の差異は、３５度４１分対３４度４２分（即ちその差は５９分）である。
【００１９】
この場合、焦点領域Ｔの面積と焦点領域Ｔに於ける光の強さは、集光レンズＦの設計により定まり、焦点領域Ｔを平面Ｓに沿って移動させる速度は、集光レンズＦを平面Ｓに沿って案内し且つ駆動する案内駆動手段の設計により定まる。上記の通り、感熱フィルムへの必要量の光線の照射は、できるだけ短時間に行われるのが好ましいので、前記案内駆動手段の設計を許される範囲で高速化し、それとの兼ね合いにより望ましい面積の焦点領域Ｔに必要な強度の光線を集光させるよう集光レンズＦが設計されればよい。
【００２０】
例えば、印刷対象物がハガキであるとすると、平面Ｓの寸法は横100mm、縦150mmである。この平面Ｓを横5mm、縦7.5mmの焦点領域Ｔにより縦横に走査するとする。今、走査は、焦点領域Ｔを平面Ｓの縦方向の定位置にて横方向に一定速度にて移動させる横方向移動と、かかる定速横方向移動が終る度に縦方向位置を１ピッチ7.5mmずらせる縦方向移動とを組合せ、ジグザグ経路に沿って行われるとする。そして、集光レンズＦの横方向駆動は、はがきの横幅100mmに亙る移動が10秒程度で終わる速度、即ち10mm/sec程度の速度にて行われるとすると、平面Ｓの各微小領域が受ける光照射時間は0.5秒程度である。集光レンズＦとして50mm×75mmのフレネルレンズを使用すれば、5mm×7.5mmの焦点領域Ｔに於ける光の強さは直射日光の100倍に強められるので、0.5秒程度の光照射によっても、原稿の黒色画像部に感熱樹脂フィルムの溶融穿孔に十分な熱を発生させることができる。
【００２１】
尚、これらの数値は、概略の見積もりであり、実機の設計に当たっては、焦点領域Ｔの縦横寸法および集光レンズの横送り速度の選定等に応じて、装置全体の設計には大きな自由度が許される。しかし、いずれにしても、上記の要領による感熱穿孔は、紙を伝わる熱の拡散速度を考えれば、紙を伝わる熱の拡散による穿孔画像のぼけを抑えて感熱穿孔を行う点に於いて、原稿の全域に一度にフラッシュランプの閃光を浴びせるのとほぼ同等の作用を達成するものであり、また照射の均一度に於いては、フラッシュランプに勝るとも劣らない筈である。また上記の例の如く、原稿の縦長さが150mmであり、それを7.5mmのピッチで横走査するのであれば、横走査の回数は20回であり、１回の横走査が10秒であれば、平面Ｓ全域の光照射に要する時間は200秒、即ち3分20秒であるので、その間の太陽の位置は一定であるとしてよい。
【００２２】
そこで、感熱孔版印刷装置が、感熱孔版原版と原稿とをガラス板とクッション板の間に押圧し且つ該感熱孔版原版と原稿とを前記ガラス板の側から太陽に直面させる方位と迎角に設定する手段を備えた感熱孔版原版担持装置と、集光レンズをその焦点領域が前記感熱孔版原版上にあって該感熱孔版原版の印刷領域を縦横に走査するよう前記感熱孔版原版担持装置上に縦横に可動に担持する集光装置と、前記集光レンズの焦点領域が前記感熱孔版原版の印刷領域を縦横に走査するよう前記集光装置を駆動する集光装置駆動装置とを有していれば、原稿に感熱樹脂フィルムを圧着し、感熱樹脂フィルムを通して原稿に光線を照射し、原稿の黒色画像部が光線を吸収して生じた熱により原稿画像に倣って感熱樹脂フィルムを穿孔する製版方式による感熱孔版製版装置を、光源として太陽を利用することによっても、強力な光線を短時間だけ均一に照射する装置として得ることができる。
【００２３】
前記感熱孔版原版担持装置が、前記感熱孔版原版と原稿とを前記ガラス板と前記クッション板の間に押圧した状態を保持する重合組立体と、前記重合組立体をその周縁部にて着脱自在に担持する枠体と、前記枠体をその一端部にて枢動手段により枢支する台板と、前記台板に対する前記枠体の枢動の傾斜角を調整可能に設定する角度調整手段とを備えていれば、切り抜き原稿を集めて原稿を作成するような場合にも、クッション板上にて原稿を調製する作業は、当作業に便利なよう、前記クッション板を机上等の任意の場所に置いた状態で行うことができ、前記クッション板上に原稿画像ができたときには、その場でその上に感熱孔版原版を置き、更にその上に前記ガラス板を置き、その場で感熱孔版原版と原稿とを前記ガラス板とクッション板の間に押圧した状態を保持する前記重合組立体を形成することができる。
【００２４】
また、かかる重合体の組立作業とは別に、かかる重合組立体が装着されてはおらず、従ってそれだけ重量的に軽い状態にある前記枠体を操作して、その方位と傾斜をその場所の経度、緯度および光線照射を行う日と時間に応じて設定する作業を行うことができる。
【００２５】
かくして、前記重合組立体の準備には任意の時間を費やすことができ、一方、前記枠体の方位と傾斜の設定は、光線照射を行う任意の日時を予定して予め行っておくことができる。
【００２６】
前記重合組立体が前記感熱孔版原版と原稿と前記ガラス板と前記クッション板とに分解されたときには、前記ガラス板とインクを施された前記感熱孔版原版とが重ね合わされてそれらの周縁部にて前記枠体に着脱自在に取り付けられ、前記クッション板が前記台板上に設置され、前記ガラス板と前記感熱孔版原版の重合体を取り付けられた前記枠体を前記台板に対し前記枢支手段により枢動させて、前記クッション板上に載置された用紙に前記感熱孔版原版により印刷を施すことができるようになっていれば、穿孔された孔版原版にインクを施し、それをガラス板と共に前記枠体に取り付け、感熱孔版原版を太陽に向けて傾斜した状態に保持する手段を、今度は印刷操作に於ける版支持枢動腕として使用し、これを枢動操作してクッション板上に置かれた用紙に印刷を施す手段を得ることができる。
【００２７】
前記感熱孔版原版と原稿とを前記ガラス板と前記クッション板の間に押圧した状態を保持する前記重合組立体をその周縁部にて前記枠体に着脱自在に取り付ける手段が、前記ガラス板と前記感熱孔版原版の重合体を前記枠体に着脱自在に取り付ける手段を兼ねていれば、感熱孔版原版を太陽に向けて傾斜した状態に保持する手段を枢動腕式の印刷手段としても作動させる構成をより一層合理化することができる。
【００２８】
前記集光装置が、前記枠体上に該枠体に対し縦方向に移動可能に装着された縦移動台と、該縦移動台上に該縦移動台に対し横方向に移動可能に装着された横移動台とを備え、前記縦移動台が前記枠体に対し１ピッチ移動することと前記横移動台が前記縦移動台に対しその両端間に一方より他方まで片道移動することの繰り返しにより前記集光レンズを前記枠体に対し縦横にジグザグ移動させるようになっていれば、前記集光レンズの焦点領域の大きさ、そこに照射される光の強さ、前記横移動台の横移動速度、前記縦移動台の縦送りピッチを相互に関連付けて適宜に設計することにより、感熱孔版原版の露光領域全体にわたるその各部に適切な強度の光線を適切な短時間だけ均一に照射することができる。
【００２９】
前記横移動台が前記縦移動台の両端間に一方より他方まで片道移動する度に前記縦移動台を前記枠体に対し１ピッチ移動させる作動が、前記集光装置駆動装置が正逆回転切換可能な横移動台駆動用電動機と縦移動台駆動用電動機とを備え、前記横移動台駆動用電動機に正転駆動用電流が供給されるとき、同時に前記縦移動台駆動用電動機に正転駆動用電流が供給されるがそれは前記枠体に対する前記縦移動台の移動経路に沿って前記ピッチの間隔にて点在する第一のスライド接点を経て前記縦移動台が前記枠体に対し前記１ピッチ移動する間だけ行われ、また前記横移動台駆動用電動機に逆転駆動用電流が供給されるとき、同時に前記縦移動台駆動用電動機に正転駆動用電流が供給されるがそれは前記枠体に対する前記縦移動台の移動経路に沿って前記ピッチの間隔にて点在する第二のスライド接点を経て前記縦移動台が前記枠体に対し前記１ピッチ移動する間だけ行われることにより行われるようになっていれば、点在するスライド接点という簡単な部材により横移動台が縦移動台の一端部または他端部に達する度に縦移動台を枠体に対し１ピッチだけ移動させることができる。
【００３０】
前記集光装置が、それが前記集光装置駆動装置により前記感熱孔版原版担持装置に対し移動されていないときには前記集光レンズの光通路を遮るシャッタを備えていれば、前記集光装置が一箇所に集光照射を持続し、当箇所に露光過剰や過熱が生じることを防止することができる。
【００３１】
上記の如き太陽光式感熱孔版印刷装置が、前記集光レンズの光通路の開口面積を減縮することにより前記焦点領域に於ける光の強度を低減する手段と前記集光装置駆動装置による前記集光装置の駆動速度を下げることにより前記感熱孔版原版の露光時間を増大させる手段の少なくとも一方を備えるように作られれば、太陽光式感熱孔版印刷装置の基本設計は、太陽の高度（上記の水平面Ｈに対する傾斜角β）が比較的小さい状態でも感熱孔版原紙の穿孔ができるようにしておき、太陽の高度が大きいときには、集光レンズの光通路の開口面積を減縮して感熱孔版原紙の露光度を適正に抑えるようにし、或いは太陽光式感熱孔版印刷装置の基本設計は、太陽の高度が比較的大きい状態で感熱孔版原紙の穿孔に適した感熱孔版原紙の露光が得られるようにしておき、太陽の高度が小さいときには、集光装置駆動装置による集光装置の駆動速度を下げることにより感熱孔版原紙の穿孔に必要な露光度を確保するようにすることができる。
【図面の簡単な説明】
【００３２】
【図１】太陽の位置がそれを視る地点によって季節と時刻に応じて変化する態様の一例を示すマップ。
【図２】太陽の方位と高度に応じて太陽光を受ける面を太陽に向ける要領を示す図。
【図３】本発明による感熱孔版印刷装置を一つの実施例について示す斜視図。
【図４】図３に示す感熱孔版印刷装置の一部をなす構成であり、ガラス板とクッション板の間に感熱孔版原版と原稿とを押圧して保持した重合組立体を示す斜視図。
【図５】クッション板とガラス板の間に感熱孔版原版と原稿とを挟んで押圧保持した図３に示す重合組立体を分解して示す斜視図。
【図６】図３に示す感熱孔版印刷装置よりフレネルレンズを担持する漏斗状ハウジングを取り外し、感熱孔版原版担持装置と集光装置駆動装置の要部を示す斜視図。
【図７】図３に示す感熱孔版印刷装置に於けるフレネルレンズを担持する漏斗状ハウジングの部分を示す斜視図。
【図８】図３に示す感熱孔版印刷装置に於ける漏斗状ハウジングを感熱孔版原版担持装置の枠体に対し横方向に移動させる横移動台とその駆動装置を分解して示す斜視図。
【図９】図３に示す感熱孔版印刷装置に於ける漏斗状ハウジングを感熱孔版原版担持装置の枠体に対し縦方向に移動させる縦移動台とその駆動装置を分解して示す斜視図。
【図１０】図９に示す縦移動台の駆動装置に於ける左右のスライド接点の一方の構成をより詳細に示す斜視図。
【図１１】図９に示す縦移動台の駆動装置に於ける左右のスライド接点の他方の構成をより詳細に示す斜視図。
【図１２】図３に示す感熱孔版印刷装置に於ける感熱孔版原版担持装置の枠体の裏側の構造であって、クッション板とガラス板の間に感熱孔版原版と原稿とを挟んで押圧保持した図３に示す重合組立体または穿孔済み感熱孔版原版とガラス板の重合体を枠体に着脱自在に取り付けるための構造を示す斜視図。
【図１３】図１２に示すクッション板とガラス板の間に感熱孔版原版と原稿とを挟んで押圧保持した重合組立体または穿孔済み感熱孔版原版とガラス板の重合体を枠体に着脱自在に取り付けるための構造を、クッション板とガラス板の間に感熱孔版原版と原稿とを挟んで押圧保持した重合組立体を取り付ける状態（図Ａ）と穿孔済み感熱孔版原版とガラス板の重合体を取り付ける状態（図Ｂ）にて示す斜視図。
【図１４】図３に示すクッション板とガラス板の間に感熱孔版原版と原稿とを挟んで押圧保持した重合組立体が図１２に示す取付構造により感熱孔版原版担持装置の枠体に取り付けられた状態を示す感熱孔版原版担持装置の裏側の斜視図。
【図１５】横移動台６２を駆動する電動機１１０、縦移動台６０を駆動する電動機１５４、シャッタ７６を操作するアクチュエータ７８を作動させる電気回路の配線図。
【図１６】図示の集光装置駆動装置を作動させてフレネルレンズを感熱孔版原版担持装置に対し縦横に移動させ、孔版原版の製版を行う制御態様を示すフローチャート。
【図１７】図示の集光装置駆動装置を製版開始の初期状態にリセットする制御態様を示すフローチャート。
【図１８】製版された孔版原版がガラス板と共に図１２に示す取付構造により感熱孔版原版担持装置の枠体に取り付けられると共に、クッション板が台板上に設置され、ハガキ等を台板上に置いてそれに印刷を施す状態とされた感熱孔版原版担持装置の裏側の斜視図。
【発明を実施するための形態】
【００３３】
図３〜図５を参照すると、図示の太陽光式感熱孔版印刷装置は、図５に示す如く感熱孔版原版１０と原稿１２とをガラス板１４とクッション板１６の間に押圧して図４に示す如き重合組立体１８としたものを、ガラス板１４の側にて太陽の位置に応じて太陽に向けられた姿勢に担持する感熱孔版原版担持装置２０を備えている。ここで、感熱孔版原版１０は、厚紙よりなる長方形輪郭の縁枠２２の下面に長方形の多孔紙と樹脂フィルムを貼り合わせた感熱孔版原紙２４をその周縁部にて貼り付け、縁枠２２の上面に長方形の透明フィルム２６をその一辺にて貼り付けたものであり、前述の「プリントゴッコ」に於いて使用された形態のものである。感熱孔版原版１０と原稿１２とをガラス板１４とクッション板１６の間に押圧する作用は、クッション板１６が底板２８上にクッションシート３０を担持し、底板２８の周縁部にヒンジ３２にて枢支されたＬ型のクランプ３４を備えており、これらのクランプの掛かり高さがクッションシート３０の自由状態での厚みとガラス板１４の厚みと感熱孔版原版１０の縁枠２２の厚みの合計より適宜に小さくされることにより所定の押圧度にて付与される。尚、クランプ３４には、重合組立体１８を後述の要領にて感熱孔版原紙担持装置２０に取り付けるための構造の一部として、肩部３６がその外面の一部に設けられている。また底板２８のクランプ３４を支持する部分には、張り出し部３８が形成されており、クランプ３４が図５に示す如く解放されたとき、クランプ３４が垂れ落ちないよう、これを適度の水平的姿勢に保持するようになっている。
【００３４】
感熱孔版原版担持装置２０は、重合組立体１８をその周縁部にて着脱自在に担持する額縁状の枠体４０と、該枠体をその一端部にてヒンジ４２による枢動手段により枢支する台板４４とを備え、台板４４が水準器４６および４８を参照しつつその４つの角部に設けられた高さ調整ねじ５０により水平姿勢にされると同時に、磁針５２を参照しつつ方位を調整され、台板４４に対する枠体４０の傾斜角が傾斜角調整器５４により、そこに施された、図には見えていない目盛に従って調整されることにより、現地点の経度および緯度と製版露光を行う日時に応じて、枠体４０が重合組立体１８をガラス板１４の側にて太陽に直面する姿勢に担持する状態に設定される。尚、傾斜角調整器５４による台板４４に対する枠体４０の傾斜角の調整は、傾斜角調整器５４の目盛に従った調整に代えて、枠体４０の適所に垂直に孔５３を開けておき、そこに、適宜、棒５５を差込み、太陽光による棒５５の影が生じない角度に枠体４０の傾斜角を調整することによって行われてもよい。
【００３５】
感熱孔版原版担持装置２０には、図２に示したフレネルレンズＦの如き集光レンズを、その焦点領域が枠体４０に取り付けられた重合組立体１８の感熱孔版原版１０と原稿１２の密着部上にあって該感熱孔版原版の印刷領域を縦横に走査するよう、感熱孔版原版担持装置２０上に縦横に移動させる集光装置５６が、その漏斗状のハウジング５８により可動に設けられている。
【００３６】
図６以下により詳細に示す如く、集光装置５６は、枠体４０上に該枠体に対し縦方向に移動可能に装着された縦移動台６０と、該縦移動台上に該縦移動台に対し横方向に移動可能に装着された横移動台６２とを備え、以下に説明される集光装置駆動装置により、枠体に対し縦移動台６０が１ピッチずつ移動することと、横移動台６２が縦移動台６０の両端間に移動することとを組合せて、集光レンズを枠体４０に対し縦横にジグザグ移動させるようになっている。
【００３７】
感熱孔版原版担持装置２０に於ける集光装置５６の縦横移動のための構成部分を取り出して示す図６に示されている如く、横移動台６２には、図７に示す如き漏斗状ハウジング５８が、その下端の長方形フランジ部６４にて横移動台６２に着脱式に取り付けられるようになっている。漏斗状ハウジング５８の上端部にはてフレネルレンズ６６がその周縁部にて支持されており、漏斗状ハウジング５８が横移動台６２に取り付けられたとき、漏斗状ハウジングのフランジ部６４に設けられた電気接点６８、７０が横移動台６２に設けられたスライド接触子７２、７４に電気的に接続され、スライド接触子７２、７４を経てフレネルレンズ６６の光通路を遮るシャッタ７６を開くアクチュエータ７８への作動電流の供給が行われるようになっている。シャッタ７６は、回動軸８０により羽根８２が担持された羽根ユニットが複数個平行に並べられた構造に作られており、各羽根ユニットの回動軸８０の端部に設けられたクランク腕８４がリンク８６により互に連結され、リンク８６の一端にてクチュエータ７８により開閉操作されるようになっている。リンク８６は引張りコイルばね８８により常時図７にて左方へ付勢されており、アクチュエータ７８が通電されていないときには、羽根８２がフレネルレンズの光通路を遮る閉状態となるように回動軸８０を回動させる。スライド接触子７２、７４は、縦移動台６０に対し横移動台６２が横方向に移動しても、縦移動台６０の側からアクチュエータ７８に作動電流を供給することができるようにするためのものであり、この後参照する図８に、より詳細に示されている。そして、アクチュエータ７８は、スライド接触子７２、７４および接点６８、７０を経て作動電流が供給されると、リンク８６を引張りコイルばね８８のばね力に抗して図７にて右方へ引張り、羽根８２を９０度回転させてフレネルレンズの光通路を開くようになっている。フレネルレンズの光通路の有孔開口面積は、漏斗状ハウジング５８の入口部に開口面積が異なるいくつかのシールド枠８７−１、８７−２等を支持桟８９により支持された状態に嵌め込むことにより減縮できるようになっている。
【００３８】
図８には、その図（Ａ）、（Ｂ）、（Ｃ）に示す如き構成要素を組み合わせて図（Ｄ）に示す如く縦移動台６０上に横移動台６２をそれに沿って往復動させる構成を組み立てることが示されている。縦移動台６０には、軸受孔９０と９２によりねじ軸９４がその両端部にて回動自在に軸受され、また軸受孔９６と９８によりねじ軸１００がその両端部にて回動自在に軸受される。このように両端部を縦移動台６０により回動自在に軸受されたねじ軸９４と１００に、横移動台６２がそのねじ孔１０２、１０４、１０６、１０８によりねじ係合した状態に支持される。ねじ軸９４、１００のねじは、互に同一ピッチ、同一ねじり方向のねじであり、ねじ軸９４がその一端部にて電動機１１０によりウォーム１１２とウォームギア１１４の噛合いを経て回転駆動され、ねじ軸９４の他端部に取り付けられた鎖車１１６、無端鎖１１８、ねじ軸１００の一端部に取り付けられた鎖車１２０を経て、ねじ軸１００がねじ軸９４と同じ方向に同じ速度にて回転されると、ねじ軸９４、１００の回転とその方向に応じて横移動台６２は縦移動台６０に沿って往復動される。そして、縦移動台６０上に於ける横移動台６２の往復動がその各終端位置に達したときには、横移動台６２が縦移動台６０に設けられたリミットスイッチ１２２または１２４に当接してそれを作動させるようになっている。
【００３９】
縦移動台６０には、図（Ｅ）および図（Ｆ）に示す如く、その長方形枠部の内側に沿って導電帯１２６および１２８が設けられており、これらの導電帯のそれぞれに横移動台６２に設けられた前述のスライド接触子７２および７４が接触することにより、縦移動台６０と横移動台６２の間に電流を通じる一対の導電路が形成されている。そして、電動機１１０に駆動電流が供給されるとき、同じ電流がこれらの導電路を経てシャッタ７６のアクチュエータ７８へも供給され、電動機１１０が駆動電流を供給されているときのみシャッタ７６が開かれるようになっている。
【００４０】
図９には、その図（Ａ）、（Ｂ）、（Ｃ）に示す如き構成要素を組み合わせて図（Ｄ）に示す如く感熱孔版原版担持装置２０上に縦移動台６０をそれに沿って縦方向に移動させる構成を組み立てることが示されている。感熱孔版原版担持装置２０には、図６に示したようにその縁枠を構成する枠体４０の上面に長方形輪郭の突枠１３０が設けられており、この突枠の内側に長方形輪郭の縦移動台支持枠１３２が嵌め込まれた状態に装着される。縦移動台支持枠１３２には、軸受孔１３４と１３６によりねじ軸１３８がその両端部にて回動自在に軸受され、また軸受孔１４０と１４２によりねじ軸１４４がその両端部にて回動自在に軸受される。このように両端部を縦移動台支持枠１３２により回動自在に軸受されたねじ軸１３８と１４４に、縦移動台６０がそのねじ孔１４６、１４８、１５０、１５２によりねじ係合した状態に支持される。ねじ軸１３８、１４４のねじは、互に同一ピッチ、同一ねじり方向のねじであり、ねじ軸１３８がその一端部にて電動機１５４によりウォーム１５６とウォームギア１５８の噛合いを経て回転駆動され、ねじ軸１３８の他端部に取り付けられた鎖車１６０、無端鎖１６２、ねじ軸１４４の一端部に取り付けられた鎖車１６４を経て、ねじ軸１４４がねじ軸１３８と同じ方向に同じ速度にて回転されると、ねじ軸１３８、１４４の回転とその方向に応じて縦移動台６０は縦移動台支持枠１３２に沿って移動される。そして、縦移動台支持枠１３２上に於ける縦移動台６０の移動がその各終端位置に達したときには、縦移動台６０が縦移動台支持枠１３２に設けられたリミットスイッチ１６６または１６８に当接してそれを作動させるようになっている。
【００４１】
縦移動台支持枠１３２には、図１０および図１１に示す如く、その長方形枠部の外側に沿って導電帯１７０および１７２が設けられており、これらの導電帯のそれぞれに縦移動台６０に設けられたスライド接触子１７４および１７６が接触することにより、縦移動台支持枠１３２と縦移動台６０の間に電流を通じる一対の導電路が形成されている。これら一対の導電路を経て、感熱孔版原版担持装置２０に設けられた制御ボックス１７８内に装填された電池を電源とする電流が、固定された縦移動台支持枠１３２と移動する縦移動台６０との間に導通され、横移動台６２を駆動する電動機１１０および漏斗状ハウジング５８に設けられたシャッタ７６を駆動するアクチュエータ７８とを適宜作動させるようになっている。
【００４２】
更に、縦移動台支持枠１３２には、図１０および図１１に示す如く、その長方形枠部の内側に沿って図示の如く等間隔にて長方形の孔を打ち抜かれた導電帯１８０および１８２が設けられており、これに対応して縦移動台６０には、これらの導電帯の中央部に接触するスライド接触子１８４および１８６が設けられている。従って、導電帯１８０、１８２とスライド接触子１８４、１８６とは、縦移動台支持枠１３２に沿って縦移動台６０が移動するに伴って、スライド接触子１８４または１８６が導電帯１８０または１８２の孔の開いていない位置に来ているときのみ、導電帯１８０とスライド接触子１８４の間または導電帯１８２とスライド接触子１８６の間を電気的に導通させるスイッチを構成している。長方形の孔の導電帯に沿う方向の寸法と隣り合う孔の間の間隔とは略同一であり、図１０と図１１の対比に示されている通り、導電帯１８０に於ける孔の配列と導電体１８２に於ける孔の配列とは、孔の間隔だけ互にずらされており、これによって縦移動台６０が縦移動台支持枠１３２に沿って孔の間隔だけ移動する毎に、導電帯１８０とスライド接触子１８４の間の導通と導電帯１８２とスライド接触子１８６の間の導通とが、交互に入れ替わるようになっている。
【００４３】
以上に説明した要領にて漏斗状ハウジング５８を縦横に移動させる構成を上面部に備えた感熱孔版原版担持装置２０の枠体４０の下面部には、図４に示した重合組立体１８、またはかかる重合組立体の状態にて原稿に倣って感熱製版された感熱孔版原版１０の感熱孔版原紙２４と透明フィルム２６の間に固練りインクを施したものとガラス板１４の重合体、を着脱自在に取り付けるための構成が、図１２に示す如く施されている。
【００４４】
図１２に示す通り、額縁状の枠体４０の裏面には、その長方形状の開口１８８の周縁に沿って長方形輪郭の段差窪み１９０が形成されている。この段差窪みの長方形状外縁の縦横の寸法は、ガラス板１４と感熱孔版原版１０の重合体を出し入れ自在にぴたりと収めるに適した寸法とされており、該段差窪みの深さは、ガラス板１４と感熱孔版原版１０の厚み（実質的に縁枠２２の厚み）の合計に等しくされている。そして、長方形状開口１８８の大きさと位置は、ガラス板１４と感熱孔版原版１０の重合体が段差窪み１９０に収められると、長方形状開口１８８が感熱孔版原版１０の縁枠２２の内縁に一致するように定められている。
【００４５】
段差窪み１９０の周縁部には、その四辺の各々に対応して２個ずつ重合体取り付けキー装置１９２が設けられている。重合体取り付けキー装置１９２は、枠体４０の裏面に固定されたキーガイド１９４と、これにより案内されて枠体４０の裏面に沿って摺動するキー１９６とを備えている。キー１９６の後端部には、キーの操作を容易にするための鉤形部１９８が形成されている。キー１９４は、その後端が枠体４０の裏面に植設されたストッパ２００に当接するまで段差窪み１９０より遠ざかる方向に後退することができる。段差窪み１９０の周縁部には、重合組立体１８がそのガラス板１４と感熱孔版原版１０の重合部にて嵌め込まれたとき、重合組立体１８のＬ型クランプ３４が来る位置にＬ型クランプ３４を受け入れるクランプ受け切欠き２０２が設けられており、更にクランプ受け切欠き２０２の一部には、Ｌ型クランプ３４の背中に設けられた肩部３６を受け入れる肩部受け切欠き２０４が設けられている。そして、キー１９４は、それが後端にてストッパ２００に当接する位置まで後退したとき、その先端が肩部受け切欠き２０４の縁に控える位置に来るように作られている。
【００４６】
図１２には、全てのキー装置１９２が、キー１９６を後退位置に後退させた状態にて示されている。このように全てのキー装置１９２のキー１９６が後退位置に後退されていれば、重合組立体１８のＬ型クランプ３４がクランプ受け切欠き２０２に収まり、肩部３６が肩部受け切欠き２０４に収まった状態で、ガラス板１４と感熱孔版原版１０の重合部が段差窪み１９０に収まるように、重合組立体１８を段差窪み１９０に嵌め込むことができる。そして、その状態でキー１９６をその先端がＬ型クランプ３４に当接するまで押し出せば、キー１９６は図１３の図（Ａ）に示す位置に来て、肩部受け切欠き２０４に収まった肩部３６を下から押さえ込むので、重合組立体１８はガラス板１４と感熱孔版原版１０の重合部にて段差窪み１９０に嵌め込まれた状態で、枠体４０の裏面に装着される。
【００４７】
そのような枠体４０への重合組立体１８の装着状態が、図１４に示されている。このように、感熱孔版原版１０と原稿１２とをガラス板１４とクッション板１６の間に押圧したものを重合組立体１８として図４に示す如く予め準備し、太陽の位置に応じて上面を太陽に対し垂直に向けるように設定された枠体４０の裏面に取り付け、枠体４０の上面に設けられた集光装置５６を作動させれば、小さな焦点領域に集光されて増強された光線が感熱孔版原紙の露光領域全体にわたって一様に走行照射され、原稿の各部についてみれば、感熱孔版原紙が原稿画像に圧着された状態で強い光線を短時間照射される感熱露光が達成される。
【００４８】
図１５には、そのように集光装置５６の漏斗状ハウジング５８を感熱孔版原版の露光領域全体にわたって一様に走行させるべく上記の電動機１１０および１５４を作動させる電気回路の構成が示されている。電動機１１０および１５４は、いずれも正逆回転可能な電動機であり、端子ＮとＲの間で通電の方向が反転されることにより正方向または逆方向に回転する。２０６は電池による電源であり、２０８は手にて直接操作される電源スイッチであり、２０９は手にて操作されて電動機１１０および１５４に対する駆動直流の電圧を絞る可変抵抗器（所謂ボリューム）である。２１０、２１２、２１４、２１６はマイクロプロセッサを組み込んだ電子制御装置（ＣＰＵ）２１８により制御されるスイッチである。電子制御装置２１８には、穿孔開始を指令するスタートボタン２２０からの指令信号、縦移動台６０と横移動台６２とを始動位置（リセット位置）に復帰させることを指令するリセットスイッチ２２２からの指令信号に加えて、リミットスイッチ１２２、１２４、１６６、１６８からの感知信号が供給されており、電子制御装置２１８はこれらの信号に基づいてスイッチ２１０、２１２、２１４、２１６を以下に説明される要領にて制御するようになっている。スイッチ２１０は遮断位置ＳＴと作動位置ＯＰとリセット位置ＲＥとの間に切り換えられる。スイッチ２１２は往動位置Ａと復動位置Ｂの間に切り換えられる。２１４は往動位置Ａとリセット位置ＲＥの間に切り換えられる。スイッチ２１６は導通と遮断の間に切り換えられるオンオフスイッチである。
【００４９】
電源スイッチ２０８がオンとされ、スイッチ２１０が作動位置ＯＰに切り換えられているとき、スイッチ２１４が往動位置Ａに切り換えられると、電源２０６からの直流電流は、電動機１１０にＮ端子から流入してＲ端子から流出する方向に供給され、スイッチ２１２が復動位置Ｂに切り換えられると、電源２０６からの直流電流は、電動機１１０にＲ端子から流入してＮ端子から流出する方向に供給される。このように、電源スイッチ２０８がオンとされ、スイッチ２１０が作動位置ＯＰに切り換えられているときには、シャッタ７６のアクチュエータ７８へ向けて一定方向の直流電流が供給されるので、スイッチ２１６が導通状態（オン）とされれば、電動機１１０が正方向または逆方向のいずかの方向に回転されるとき、シャッタ７６は開かれる。
【００５０】
電動機１１０にＮ端子から流入してＲ端子から流出する方向に直流電流が供給されると、横移動台６２はリミットスイッチ１２２の側よりリミットスイッチ１２４の側へ向けで移動（往動）する。かかる電動機１１０の回転はこのスイッチ切換状態が続く限り持続する。一方、このとき、同じ直流電流は導電帯１８０とスライド接点１８４を経て電動機１５４にＮ端子より供給されるので、このときスイッチ２１４が往動位置Ａに切り換えられていれば、電動機１５４にはＮ端子から流入してＲ端子から流出する方向に直流電流が供給され、これによって縦移動台６０はリミットスイッチ１６６の側よりリミットスイッチ１６８の側へ向けで移動（往動）する。但し、導電帯１８０とスライド接点１８４を経ての電動機１５４への電流の供給は、導電帯１８０とスライド接点１８４の間に導電接触が生じている間のみである。かかる導電帯１８０とスライド接点１８４の導電接触は、縦移動台６０が導電帯１８０の孔配列の１ピッチ分だけ往動すると外れるので、横移動台６２の往動開始と同時に縦移動台６０も往動を開始するが、縦移動台６０の一度の往動は導電帯１８０の孔配列の１ピッチ分で終る。
【００５１】
尚、図示の実施例では、縦移動台６０の復帰位置（リセット位置）は、縦移動台６０がリミットスイッチ１６６に接する位置であり、横移動台６２の復帰位置（リセット位置）は、横移動台６２がリミットスイッチ１２２に接する位置である。集光装置５６の露光運動は、縦移動台６０および横移動台６２がそれぞれの復帰位置にあるときから、スイッチ２１０が作動位置ＯＰに切り換えられ、スイッチ２１２が往動位置Ａに切り換えられることで開始される。この場合、先ず、縦移動台６０が復帰位置に留まった状態で、横移動台６２がリミットスイッチ１２２に接する位置からリミットスイッチ１２４へ向けて往動する。そのため、図１０、図１１、図１５に示す通り、縦移動台６０が復帰位置と導電帯１８０の孔配列の１ピッチ分の往動位置の間にあるとき、導電帯１８０とスライド接触子１８４は導電接触していない。横移動台６２がリミットスイッチ１２４に接する位置まで往動すると、スイッチ２１２が複働位置Ｂに切り換えられる。
【００５２】
スイッチ２１２が複働位置Ｂに切り換えられると、電動機１１０にはＲ端子から流入してＮ端子から流出する方向に直流電流が供給され、電動機１１０の回転方向は反転する。これによって横移動台６２はリミットスイッチ１２４の側よりリミットスイッチ１２２の側へ向けで移動（復動）する。かかる電動機１１０の回転はこのスイッチ切換状態が続く限り持続する。一方、このとき、同じ直流電流は導電帯１８２とスライド接点１８６を経て電動機１５４に対しＮ端子から流入してＲ端子から流出する方向に供給される。このとき、導電帯１８２とスライド接点１８６とは１ピッチ分の導通接触の始まり状態にあるので、これによって電動機１５４は正方向に回転し、縦移動台６０はリミットスイッチ１６６の側よりリミットスイッチ１６８の側へ向けで移動（往動）する。但し、電動機１５４への電流の供給は、導電帯１８２とスライド接点１８６の間に導電接触が生じている間のみである。かかる導電帯１８２とスライド接点１８６の導電接触は、縦移動台６０が導電帯１８２の孔配列の１ピッチ分だけ往動すると外れるので、横移動台６２の復動開始と同時に縦移動台６０も往動を開始するが、縦移動台６０の一度の往動は導電帯１８２の孔配列の１ピッチ分で終る。
【００５３】
横移動台６２がリミットスイッチ１２２に接する位置まで復動すると、スイッチ２１２が往動位置Ａに切り換えられる。これによって横移動台６２の移動は復動より往動に反転するが、このときには導電帯１８０とスライド接触子１８４とが導電接触しているので、横移動台６２の往動開始と同時に縦移動台６０は導電帯１８０の孔配列の１ピッチ分だけ往動する。以下、同様に横移動台６２の往復動と縦移動台６０の往方向へのピッチ進行が繰り返される。
【００５４】
縦移動台６０の往方向へのピッチ進行が進み、縦移動台６０が全ピッチ往動を果たす位置に達すると、横移動台６２が往動から復動に反転し、それと同時に縦移動台６０が１ピッチ往動したところで、リミットスイッチ１６８が縦移動台６０によりオンとされる。リミットスイッチ１６８がオンになると、その回の横移動台６２の復動が終わったところで、スイッチ２１０は停止位置ＳＴに切り替えられ、横移動台６２の移動は停止される。これにて１回の製版作動は終了するが、図示の実施例では、続いて漏斗状ハウジング５８を始動位置に復帰させ、集光装置５６をリセット状態に復帰させておくリセット動作が行われる。
【００５５】
即ち、図示の実施例では、リミットスイッチ１６８がオンになった後、リミットスイッチ１２２がオンになると、スイッチ２１０および２１４がリセット位置ＲＥに切り換えられる。これによって電源２０６からの直流電流は、電動機１５４にＲ端子から流入してＮ端子から流出する方向に供給され、縦移動台６０はリミットスイッチ１６６へ向けて復動する。この場合、電動機１５４への電流の供給は導電帯１８０や１８２を経ることなく連続的に行われる。かかるスイッチ２１０および２１４の切換えによる縦移動台６０の復動は、縦移動台６０が復帰位置まで戻り、リミットスイッチ１６６がオンとなったところで終了する。またかかるリセット作動中には、スイッチ２１６のオンオフに拘わらず、シャッタ７６のアクチュエータ７８には電流は供給されないので、シャッタ７６は閉じられた状態に保持される。
【００５６】
また以上のような電動機１１０および１５４による横移動台６２および縦移動台６０の移動の速度は、電動機１１０および１５４へ供給される直流電流の電圧が可変抵抗器２０９により絞られることにより低下するので、太陽光式感熱孔版印刷装置の基本設計が、太陽の高度が比較的大きい状態で感熱孔版原紙の穿孔に適した感熱孔版原紙の露光が得られるようにされるときには、太陽の高度が小さいとき、可変抵抗器２０９により電動機１１０および１５４へ供給される直流電流の電圧を絞り、集光装置駆動装置による集光装置の駆動速度を下げ、光線照射時間を増大させることにより、感熱孔版原紙の穿孔に必要な露光度を確保することができる。尚、これとは逆に、太陽光式感熱孔版印刷装置の基本設計が、太陽の高度が比較的小さい状態でも感熱孔版原紙の穿孔に適した感熱孔版原紙の露光が得られるようにされるときには、太陽の高度が高いとき、感熱孔版原紙の露光が過剰になる虞れがある。この場合には、図７について説明したように、漏斗状ハウジング５８の入口部に開口面積が異なるいくつかのシールド枠８７−１、８７−２等を支持桟８９により支持された状態に嵌め込むことができるようになっていれば、これによってフレネルレンズ６６の光通路の有効開口面積を縮小し、感熱孔版原紙の露光過剰を抑えることができる。
【００５７】
以上の如き電子制御装置（ＣＰＵ）２１８によるスイッチ２１０、２１２、２１４、２１６の制御を図１６にフローチャートにて示す。かかるフローチャートに沿った制御は、電子制御装置２１８のマイクロプロセッサにより数十ミリセカンドの周期にて繰り返される。
【００５８】
尚、上記の実施例のように、製版露光の終了時に集光装置５６が自動的にリセットされるようになっていれば、次回の製版露光は、スタートスイッチ２２０が押されることにより直ちに開始されてよい筈であるが、製版露光が中断されて終っている場合もあり得るので、図１６に示す実施例では、製版露光の開始の度に先ず集光装置５６をリセットする作動が行われるようになっている。
【００５９】
電源スイッチ２０８がオンにされた状態で、製版動作を開始すべく、スタートスイッチ２２０が押されると、ステップ（Ｓ）１０にてリミットスイッチ（ＬＳ）１６６がオンであるか否かが判断される。答がノー（Ｎ）であれば、制御はステップ２０へ進み、スイッチ２１０および２１４がリセット位置ＲＥに切り換えられ、スイッチ２１６がオフとされ、電動機１５４にはＲ端子より流入しＮ端子より流出する直流電流が供給される。縦移動台６０が最初から復帰位置にあってステップ１０の答が最初からイエス（Ｙ）であるとき、或いは縦移動台６０が復帰位置に復帰してステップ１０の答がノーからイエスに転ずると、制御はステップ３０へ進み、リミットスイッチ１２２がオンであるか否かが判断される。答がノーであれば、制御はステップ４０へ進み、スイッチ２１０が作動位置ＯＰに、スイッチ２１２が復動位置Ｂに、スイッチ２１４がリセット位置ＲＥに切り換えられ、スイッチ２１６がオフとされ、電動機１１０にはＲ端子より流入しＮ端子より流出する直流電流が供給され、横移動台６２が復帰位置へ向けて復動される。横移動台６２が最初から復帰位置にあってステップ３０の答が最初からイエスであるとき、或いは横移動台６２が復帰位置に復帰してステップ３０の答がノーからイエスに転ずると、制御はステップ５０へ進む。
【００６０】
ステップ５０に於いては、リミットスイッチ１６８がオンであるか否かが判断される。答がノーであれば、制御はステップ６０へ進み、リミットスイッチ１２４がオンであるか否かが判断される。答がノーであれば、制御はステップ７０へ進み、スイッチ２１０はＯＰ位置、スイッチ２１２は往動位置Ａ、スイッチ２１４は往動位置Ａ、スイッチ２１６はオンに切り換えられ、電動機１１０が正方向に回転されて横移動台６２が往動され、導電帯１８０とスライド接触子１８４の間に導電接触が生じている間のみ電動機１５４が正方向に回転されて縦移動台６０が１ピッチだけ往動される。また横移動台６２が往動される間、アクチュエータ７８が通電されてシャッタ７６が開かれる。そして、横移動台６２の往動が終端に達し、リミットスイッチ１２４がオンとなり、ステップ６０の答がノーからイエスに転ずると、制御はステップ８０へ進む。
【００６１】
ステップ８０に於いては、リミットスイッチ１２２がオンであるか否かが判断される。答がノーであれば、制御はステップ９０へ進み、スイッチ２１０はＯＰ位置のまま、スイッチ２１２は復動位置Ｂに切り換えられ、スイッチ２１４は往動位置Ａのまま、スイッチ２１６はオンのままとされ、電動機１１０が逆方向に回転されて横移動台６２が復動され、導電帯１８２とスライド接触子１８６の間に導電接触が生じている間のみ電動機１５４が正方向に回転されて縦移動台６０が１ピッチだけ往動される。また横移動台６２が復動される間、アクチュエータ７８が通電されてシャッタ７６が開かれる。そして、横移動台６２の復動が終端に達し、リミットスイッチ１２２がオンとなり、ステップ８０の答がノーからイエスに転ずると、制御はステップ５０に戻り、再度、リミットスイッチ１６８がオンであるか否かが判断される。答がノーであれば、制御はステップ６０へ進み、ステップ６０〜９０が上記の通り繰り返されるが、横移動台６２の復動と同時に生じた縦移動台６０の往動により縦移動台６０が往動の終端に達していると、リミットスイッチ１６８がオンとなっているので、ステップ５０の答はイエスとなる。このとき集光装置５６の製版移動は終了しているので、電子制御装置２１８による製版制御は、ここで終ってもよいが、図示の実施例では、制御はステップ１００へ進み、リミットスイッチ１６６がオンになるのを監視しつつ、ステップ１１０に進み、スイッチ２１０および２１４をＲＥ位置に切り換え、スイッチ２１６をオフにして、横移動台６２が復帰位置にある状態の縦移動台６０を復帰位置に戻しておくリセット作動が行われる。そしてステップ１００の答がイエスとなったところで電子制御装置２１８による製版制御は終了する。
【００６２】
図１７は、リセットスイッチ２２２が押されることにより縦移動台６０および横移動台６２をそれぞれの復帰位置へ復帰させる作動を示すフローチャートであり、図１６のフローチャートのステップ１０〜４０のみを実行するフローチャートである。
【００６３】
図４に示す重合組立体１８の形にて感熱孔版原版１０の感熱穿孔が終了すると、重合組立体１８は分解され、感熱孔版原版１０の感熱孔版原紙２４上に穿孔画像に従って固練りのインクが施される。この場合、感熱孔版原紙２４の下面には原稿１２が感熱孔版原紙２４の穿孔部にて溶融した樹脂により密着しており、原稿１２の画像は感熱孔版原紙２４を通して明瞭に透けて見えるので、穿孔済みの感熱孔版原紙２４より原稿１２を剥がす前に感熱孔版原紙２４上にインクを施せば、穿孔画像に対してインクを的確に施すことができる。かくして感熱孔版原紙２４上にインクが施された後、その上に透明フィルム２６を被せ、原稿１２と透明フィルム２６の間にインク層を挟んでこれを均し、その後で感熱孔版原紙２４の下面より原稿１２を剥がせば、インクを装填された感熱孔版原版が得られる。
【００６４】
かくしてインクを装填された感熱孔版原版が得られれば、これとその上にガラス板１４を重ねた重合体を、図１８に示す如く、枠体４０の段差窪み１９０内に嵌め込み、キー装置１９２のキー１９６を図１３の図（Ｂ）に示す位置まで一杯に押し出せば、ガラス板１４と感熱孔版原版１０の重合体はキー装置１９２によって枠体４０の下面に取り付けられる。
【００６５】
一方、クッション板１６は、その４つの角部が台板４４の上面に固定された４個のアングル突起２２４に嵌り合うように台板４４上に載置されれば、枠体４０をヒンジ４２の周りに台板４４へ向けて回動させたとき、枠体４０の下面に取り付けられたガラス板１４と感熱孔版原版１０の重合体に丁度重なり合う位置にあって、感熱孔版原版１０により印刷を施されるべき用紙を弾力的に支持する用紙置き台を呈する。尚、傾斜角調整器５４は、折点２２６を備え、印刷操作時にはかかる折点の周りに図示の如く折り畳まれるようになっていてよい。
【００６６】
以上に於いては、本発明を一つの実施例ついて詳細に説明したが、図示の実施例について本発明の範囲内にて種々の修正が可能であることは当業者にとって明らかであろう。
【符号の説明】
【００６７】
１０−感熱孔版原版，１２−原稿，１４−ガラス板，１６−クッション板，１８−重合組立体，２０−感熱孔版原版担持装置，２２−縁枠，２４−感熱孔版原紙，２６−透明フィルム，２８−底板，３０−クッションシート，３２−ヒンジ，３４−Ｌ型クランプ，３６−肩部，３８−張り出し部，４０−枠体，４２−ヒンジ，４４−台板，４６，４８−水準器，５０−高さ調整ねじ，５２−磁針，５３−垂直孔，５４−傾斜角調整器，５５−棒，５６−集光装置，５８−漏斗状ハウジング，６０−縦移動台，６２−横移動台，６４−長方形フランジ部，６６−フレネルレンズ，６８，７０−電気接点，７２，７４−スライド接触子，７６−シャッタ，７８−アクチュエータ，８０−回動軸，８２−羽根，８４−クランク腕，８６−リンク，８７−１、８７−２−シールド枠，８８−コイルばね，８９−支持桟，９０，９２−軸受孔，９４−ねじ軸，９６，９８−軸受孔，１００−ねじ軸，１０２，１０４，１０６，１０８−ねじ孔，１１０−電動機，１１２−ウォーム，１１４−ウォームギア，１１６−鎖車，１１８−無端鎖，１２０−鎖車，１２２，１２４−リミットスイッチ，１２６，１２８−導電帯，１３０−突枠，１３２−縦移動台支持枠，１３４，１３６−軸受孔，１３８−ねじ軸，１４０，１４２−軸受孔，１４４−ねじ軸，１４６，１４８，１５０，１５２−ねじ孔，１５４−電動機，１５６−ウォーム，１５８−ウォームギア，１６０−鎖車，１６２−無端鎖，１６４−鎖車，１６６，１６８−リミットスイッチ，１７０，１７２−導電帯，１７４，１７６−スライド接触子，１７８−制御ボックス，１８０，１８２−導電帯，１８４，１８６−スライド接触子，１８８−長方形状開口，１９０−段差窪み，１９２−キー装置，１９４−キーガイド，１９６−キー，１９８−鉤形部，２００−ストッパ，２０２−クランプ受け切欠き，２０４−肩部受け切欠き，２０６−電源，２０８−電源スイッチ，２０９−可変抵抗器，２１０，２１２，２１４，２１６−スイッチ，２１８−電子制御装置（ＣＰＵ），２２０−スタートスイッチ，２２２−リセットスイッチ，２２４−アングル突起，２２６−折点
【図１】
2015136816.tif 000003
【図２】
2015136816.tif 000004
【図３】
2015136816.tif 000005
【図４】
2015136816.tif 000006
【図５】
2015136816.tif 000007
【図６】
2015136816.tif 000008
【図７】
2015136816.tif 000009
【図８】
2015136816.tif 000010
【図９】
2015136816.tif 000011
【図１０】
2015136816.tif 000012
【図１１】
2015136816.tif 000013
【図１２】
2015136816.tif 000014
【図１３】
2015136816.tif 000015
【図１４】
2015136816.tif 000016
【図１５】
2015136816.tif 000017
【図１６】
2015136816.tif 000018
【図１７】
2015136816.tif 000019
【図１８】
2015136816.tif 000020